(57)【要約】      （修正有）【課題】第１杆状体と第２杆状体とを交差させた状態で連結して締付固定する締付固定装置であって、周囲の邪魔になることも防止された締付固定装置を提供する。【解決手段】第１杆状体の外周に装着された一対のループ部２，３と、ループ部２，３から延設されるバンド４，６と、一対のバンド４，６を一部で重ねた状態で連結する連結具７とを備える。第２杆状体の外周に装着される環状部１１が形成されるように一対のループ部２，３同士を連結し、連結具７は、一方のバンド４に対して他方のバンド６を環状部１１の周方向に進退させて締付力を調整する構造とし、連結具から突出したバンド６の端部と、バンド４とを共に挿入させるリング状の係止具２１を設ける。【選択図】図１
0003193681.tif 000002
【実用新案登録請求の範囲】
【請求項１】
第１杆状体（Ａ）と第２杆状体（Ｂ）とを交差させた状態で連結して締付固定する締付固定装置であって、第１杆状体（Ａ）の外周に装着された一対のループ部（２，３）と、ループ部（２，３）毎に各別に設けられて該ループ部（２，３）から延設されるバンド（４，６）と、該一対のバンド（４，６）を一部で重ねた状態で連結する連結具（７）とを備え、連結具（７）によって連結された上記一対のバンド（４，６）と前記一対のループ部（２，３）とによって第２杆状体（Ｂ）の外周に装着される環状部（１１）が形成されるように該一対のループ部（２，３）同士を連結し、前記連結具（７）は、一方のバンド（４）に対して他方のバンド（６）を上記環状部（１１）の周方向に進退させて該環状部（１１）の径を拡大・縮小させることにより締付力を調整する構造とし、連結具（７）から突出したバンド（６）の端部と、もう片方のバンド（４）とを共に挿入させるリング状の係止具（２１）を設け、該係止具（２１）によって、一方のバンド（６）の端部を、他方のバンド（４）の周面側に係止させる締付固定装置。
【請求項２】
係止具（２１）は、バンド（４，６）の幅方向に長い方形状断面を有する請求項１に記載の締付固定装置。
【請求項３】
係止具（２１）の第２杆状体（Ｂ）の外周面の接する側には、孔（２１ａ）を穿設した請求項１又は２の何れかに記載の締付固定装置。
【請求項４】
前記ループ部（２，３）は、糸状部材又は帯状部材（８）の端部同士を連結プレート（９）によって連結することにより形成され、該連結プレート（９）の外面側にバンド（４，６）の端部を固定した請求項１乃至３の何れかに記載の締付固定装置。
【請求項５】
連結具（７）は、ボルト（１２）と、該ボルト（１２）を上記環状部（１１）の接線方向に沿う姿勢で回転可能に収容支持するホルダ部（１３）を有し、一方のバンド（４）がホルダ部（１３）に固定される固定側バンドであり、他方のバンド（６）は、上記ボルト（１２）のネジ部（１２ａ）と接するようにホルダ部（１３）に移動可能に挿通される可動側バンドであり、該可動側バンド（６）の上記ネジ部（１２ａ）側には、ボルト（１２）の回転によって上記環状部（１１）の周方向に送られるように該ネジ部（１２ａ）と係合される凹凸部（６ａ）を形成し、前記ボルト（１２）は、ボルトヘッド（１７）が係止具（２１）側に向けられた状態でボルダ部（１３）に支持された請求項１乃至４の何れかに記載の締付固定装置。
【請求項６】
ボルトヘッド（１７）側には、フランジ部（１９）を一体的に形成した請求項５に記載の締付固定装置。
【考案の詳細な説明】
【技術分野】
【０００１】
この考案は、第１杆状体と第２杆状体とを交差させた状態で連結して締付固定する締付固定装置に関する。
【背景技術】
【０００２】
第１杆状体の外周に装着された一対のループ部と、ループ部毎に各別に設けられて該ループ部から延設されるバンドと、該一対のバンドを一部で重ねた状態で連結する連結具とを備え、連結具によって連結された上記一対のバンドと前記一対のループ部とによって第２杆状体の外周に装着される環状部が形成されるように該一対のループ部同士を連結し、前記連結具は、一方のバンドに対して他方のバンドを上記環状部の周方向に進退させて該環状部の径を拡大・縮小させることにより締付力を調整する構造とし、第１杆状体と第２杆状体とを交差させた状態で連結して締付固定する締付固定装置が公知になっている（例えば、特許文献１参照）。
【先行技術文献】
【特許文献】
【０００３】
【特許文献１】特許第３４５４７８４号公報
【考案の概要】
【考案が解決しようとする課題】
【０００４】
しかし、上記文献の締付固定装置は、連結具によるバンドの進退作動によって第２杆状体を締付ける際、該連結具から突出したバンドの端部が径方向外側に湾曲して突出した状態になり、周囲の邪魔になる場合がある。
【０００５】
第１杆状体と第２杆状体とを交差させた状態で連結して締付固定する締付固定装置であって、周囲の邪魔になることも防止された締付固定装置を提供することを課題とする。
【課題を解決するための手段】
【０００６】
上記課題を解決するための本考案は、第１に第１杆状体Ａと第２杆状体Ｂとを交差させた状態で連結して締付固定する締付固定装置であって、第１杆状体Ａの外周に装着された一対のループ部２，３と、ループ部２，３毎に各別に設けられて該ループ部２，３から延設されるバンド４，６と、該一対のバンド４，６を一部で重ねた状態で連結する連結具７とを備え、連結具７によって連結された上記一対のバンド４，６と前記一対のループ部２，３とによって第２杆状体Ｂの外周に装着される環状部１１が形成されるように該一対のループ部２，３同士を連結し、前記連結具７は、一方のバンド４に対して他方のバンド６を上記環状部１１の周方向に進退させて該環状部１１の径を拡大・縮小させることにより締付力を調整する構造とし、連結具７から突出したバンド６の端部と、もう片方のバンド４とを共に挿入させるリング状の係止具２１を設け、該係止具２１によって、一方のバンド６の端部を、他方のバンド４の周面側に係止させることを特徴としている。
【０００７】
第２に、係止具２１は、バンド４，６の幅方向に長い方形状断面を有することを特徴としている。
【０００８】
第３に、係止具２１の第２杆状体Ｂの外周面の接する側には、孔２１ａを穿設したことを特徴としている。
【０００９】
第４に、前記ループ部２，３は、糸状部材又は帯状部材８の端部同士を連結プレート９によって連結することにより形成され、該連結プレート９の外面側にバンド４，６の端部を固定したことを特徴としている。
【００１０】
第５に、連結具７は、ボルト１２と、該ボルト１２を上記環状部１１の接線方向に沿う姿勢で回転可能に収容支持するホルダ部１３を有し、一方のバンド４がホルダ部１３に固定される固定側バンドであり、他方のバンド６は、上記ボルト１２のネジ部１２ａと接するようにホルダ部１３に移動可能に挿通される可動側バンドであり、該可動側バンド６の上記ネジ部１２ａ側には、ボルト１２の回転によって上記環状部１１の周方向に送られるように該ネジ部１２ａと係合される凹凸部６ａを形成し、前記ボルト１２は、ボルトヘッド１７が係止具２１側に向けられた状態でボルダ部１３に支持されたことを特徴としている。
【００１１】
第６に、ボルトヘッド１７側には、フランジ部１９を一体的に形成したことを特徴としている。
【考案の効果】
【００１２】
連結具から突出したバンドの端部と、もう片方のバンドとを共に挿入させるリング状の係止具を設け、該係止具によって、一方のバンドの端部を、他方のバンドの周面側に係止させるため、バンドの端部が径方向外側に湾曲して突出することがなく、周囲の邪魔になることが防止される。
【００１３】
前記ループ部は、糸状部材又は帯状部材の端部同士を連結プレートによって連結することにより形成され、該連結プレートの外面側にバンドの端部を固定したものによれば、バンドの端部が環状部の周方向に進退する際に、連結プレートが邪魔になることが防止される他、バンドが第２杆状体に接触することも抑制されるため、バイドによって、第２杆状体が破損することも防止される。
【図面の簡単な説明】
【００１４】
【図１】本考案を適用した締付固定装置の斜視図である。
【図２】本考案を適用した締付固定装置の平面図である。
【図３】図１及び図２に示す締付固定装置の要部構成を示す部分側断面図である。
【図４】（Ａ），（Ｂ）は係止具の平面図及び背面図である。
【考案を実施するための形態】
【００１５】
図１，図２は、本考案を適用した締付固定装置の斜視図及び平面図であり、図３は、図１及び図２に示す締付固定装置の要部構成を示す部分側断面図である。図示する締付固定装置１は、鉛直方向に延びる支柱（第１杆状体）Ａと、水平方向に延びる横杆（第２杆状体）Ｂとを、交差させた状態で連結するものである。なお、２つの杆状態Ａ，Ｂは、鉛直方向と水平方向に限定されるものではなく、互いが交差した状態で連結されるものであれば、この締付固定装置１を用いることが可能である。
【００１６】
この締付固定装置１は、断面視が円形をなす支柱Ａの外周に装着される一対のループ部２，３と、ループ部２，３毎に各別に設けられて該ループ部２，３からそれぞれ延設されるバンド４，６と、該一対のバンド４，６同士を一部で重ねた状態で連結する連結具７とを備えている。
【００１７】
上記ループ部２，３は、糸状部材又は帯状部材（図示する例では弾性変形可能な金属製のワイヤ８）をＵ字状に湾曲形成して、自身の端部同士を連結プレート９によって連結することにより、環状に形成されている。
【００１８】
連結プレート９は、横杆Ｂの外周面に沿って若干湾曲した三角形状の金属製の板材である。この連結プレート９の三角形状の２つの頂点に、ワイヤ８の両端部をそれぞれ挿通させる連結孔９ａ，９ａが穿設され、ワイヤ８の両端部が湾曲された状態で該連結孔９ａ，９ａに挿通係止される。
【００１９】
２つのループ部２，３における一方の環状部分に、他方のワイヤ８が挿通され、これによって２つのループ部２，３が連結されている。このような連結によれば、２つのループ部２，３と、２つのバンド４，６と、連結具７とによって、横杆Ｂの外周に装着される環状部１１を形成している。なお、ループ部２，３同士を別途用意した連結部材等で連結して、環状部１１を形成してもよい。
【００２０】
上記バンド４，６は、若干の弾性変形を許容する金属製の帯状部材であり、このバンド４，６は、環状部１１の周方向に延びるとともに、横杆Ｂの外周面に沿う円弧状に湾曲形成されている。バイド４，６の一端部は上記連結プレート９の外面（横杆Ｂの外周と接しない側の面）に取付固定され、他端部は連結具７側に位置している。
【００２１】
上記連結具７は、一方のバンド４である固定側バンド４に対して、他方のバンド６である可動側バンド６を、上記環状部１１の周方向に進退させて該環状部１１の径を拡大・縮小させる。
【００２２】
この連結具７は、ボルト１２と、該ボルト１２を上記環状部１１の接線方向に沿う姿勢で軸回りに回転可能に収容支持するホルダ（ホルダ部）１３を有している。
【００２３】
ホルダ１３は、全体が環状部１１の接線方向に延びる筒状に形成されている。このホルダ１３は、ボルト１２のネジ部１２ａが収容される円筒状のボルト収容部１４と、上記２つのバンド４，６が厚み方向に重ねられた状態で収容されるように該バンド４，６の幅方向に長い方形状の断面を有するバンド収容部１６とから構成されている。
【００２４】
２つのバンド４，６は、バンド収容部１６内に差込み挿入される。固定側バンド４は、バンド収容部１６の内面に溶接等で固定される。可動側バンド６は、上記固定側バンド４と一部で厚み方向に重ねられた状態で、バンド収容部１６内に移動可能に挿通され、その端部が、連結具７から突出した状態になる。この可動側バンド６は、固定側バンド４と、ボルト１２のネジ部１２ａとの間に挟まれた状態になる。
【００２５】
ボルト１２は、上記ネジ部１２ａと、ネジ部１２ａの一端側（基端側）に形成されたボルトヘッド１７と、他端側（先端側）に形成されて径が拡大された抜け止部１８と、ボルトヘッド１７のネジ部１２ａ側に形成された軸方向視で円形をなすフランジ部１９とを一体的に有している。
【００２６】
ボルト１２は、ボルトヘッド１７が可動側バンド６の端部側に向けられた姿勢で、ホルダ１３に収容支持されている。ボルト収容部１４の抜け止部１８側の端部は、該抜け止部１８よりも径が小さくなるように縮径された縮小部１４ａになっている一方で、ボルトヘッド１７は、ボルト収容部１４の径よりも大きく形成されているため、ボルト１２のボルト収容部１４から抜けが規制（禁止）される。
【００２７】
ボルトヘッド１７と、ボルダ１３（ボルト収容部１４）との間には、該ボルトヘッド１７よりもさらに径が拡大した上記フランジ部１９が位置しており、このフランジ部１９には、ボルダ１３（ボルト収容部１４）の一端部を係脱自在に嵌合して収容する収容凹部１９ａが形成されている。
【００２８】
また、可動側バンド６のボルト１２のネジ部１９ａと接する側の面（外面）には、該ネジ部１９ａと凹凸係合（係合）する凹凸部（係合部）６ａが一体形成され、ボルト１２を回転させると、可動側バンド６が固定側バンド４に対して環状部１１の周方向に進退作動し、環状部１１の径が縮小・拡大する。
【００２９】
具体的には、ボルト１２を一方に回転させると、可動バンド６が、ボルト１２の基端側に移動作動して、環状部１１の径が縮小され、ボルト１２を他方に回転させると、可動バンド６が、ボルト１２の先端側に移動作動して、環状部１１の径が拡大され、この環状部１１の径の縮小及び拡大によって、この締付固定装置１の締付力が調整される。
【００３０】
ちなみに、凹凸部６ａは、可動側バンド６の長手方向における大部分に形成されており、これによって、締付力の調整幅を大きくしている。
【００３１】
ところで、このような締付固定装置１では、連結具７による可動側バンド６の進退作動によって締付けを行う際、該連結具７から突出した可動側バンド６の端部が、環状部１１の径方向外側に湾曲して突出した状態になり、周囲の邪魔になる場合がある。これを防止するため、連結具７から突出した可動側バンド６の端部と、固定側バンド４とを共に挿入させるリング状の係止具２１を設け、該係止具２１によって、可動側バンド４の端部を、固定側バンド６の外周面側に係止させる。
【００３２】
図４（Ａ），（Ｂ）は係止具の平面図及び背面図である。係止具２１は、２つのバンド４，６を厚み方向に重ねて嵌合、或いは略嵌合状態で挿通させることが可能なように、バンド４，６の幅方向に長い方形状断面を有し、横杆Ｂと接する側には、円状の孔２１ａが穿設されている。また、具体的には、金属製の帯状部材を曲げ形成して、端部同士を接当させることにより、上記係止具２１を形成している。
【００３３】
該構成の締付固定装置１の使用方法について説明すると、まず、２つのループ部２，３に支柱Ａを挿通させ、続いて、横杆Ｂに環状部１１が装着されるように、連結具７によって、バンド４，６同士を一部を重ねて連結し、ボルト１２によって、締付力を調整し、最後に、係止具２１によって可動側バンド４の端部を、固定側バンド６の係止させることにより、支柱Ａと横杆４とがクロスした状態で連結固定される。
【００３４】
以上のように構成される締付固定装置１によれば、連結作業も容易で、係止具１２による係止によって、可動側バンド４の端部が邪魔になることもない。
【００３５】
なお、２つのバンド４，６は、一方に対して他方が環状部１１の周方向に進退するものであれば、一方を固定式とし且つ他方を可動式とするような構成を必ずしも採用する必要はなく、両方を可動式にしてもよい。
【符号の説明】
【００３６】
１  締付固定装置
２  ループ部
３  ループ部
４  固定側バンド（バンド）
６  可動側バンド（バンド）
６ａ  凹凸部（係合部）
７  連結具
８  ワイヤ（糸状部材，帯状部材）
９  連結プレート
１１  環状部
１２  ボルト
１２ａ  ネジ部
１３  ホルダ（ホルダ部）
１７ボルトヘッド
１９  フランジ部
２１  係止具
２１ａ  孔
Ａ  支柱（第１杆状体）
Ｂ  横杆（第２杆状体）
【図１】
0003193681.tif 000003
【図２】
0003193681.tif 000004
【図３】
0003193681.tif 000005
【図４】
0003193681.tif 000006